(57)【要約】      （修正有）【課題】ケーブル被覆材の表面に凹凸が形成されていても、容易に除去できる被覆材除去装置を提供する。【解決手段】芯線と芯線を被覆する外部被覆材とを備えるケーブル１６を、第１方向にスライド可能なケーブル支持部材２と、外部被覆材を切断するためのカッター１４を支持するカッター支持機構３とを備え、カッター支持機構は、カッターを保持するカッター保持部材４と、カッターが第１方向を含む平面に垂直な第１軸１３の周りに回転可能となるようにカッター保持部材を支持する固定部材５と、一端が固定部材に連結され他端がカッター保持部材に連結される弾性部材１２とを備え、固定部材は、カッターの刃先が第１方向の反対方向を向くようにカッター保持部材を支持する構造を有する。弾性部材は、カッターの刃先に第１軸周りの回転力が第１方向の反対方向に向かって働くように、カッター保持部材を付勢している。【選択図】図１
2011120336.tif 000002
【特許請求の範囲】
【請求項１】
芯線と前記芯線を被覆する外部被覆材とを備えるケーブルを、第１方向に沿ってスライド可能となるように支持する、ケーブル支持部材と、
前記外部被覆材を切断するためのカッターを支持する、カッター支持機構と、
を具備し、
前記カッター支持機構は、
前記カッターを固定して保持する、カッター保持部材と、
前記ケーブル支持部材に取り付けられ、前記カッターが前記第１方向を含む平面に垂直な第１軸の周りに回転可能となるように、前記カッター保持部材を支持する、固定部材と
一端で前記固定部材に連結され、他端で前記カッター保持部材に連結される、弾性部材とを備え、
前記固定部材は、前記カッターの刃先が前記第１方向の反対方向を向くように、前記カッター保持部材を支持し、
前記弾性部材は、前記カッターの刃先に、前記第１軸周りの回転力が前記第１方向の反対方向に向かって働くように、前記カッター保持部材を付勢している
ケーブル被覆材の除去装置。
【請求項２】
請求項１に記載されたケーブル被覆材の除去装置であって、
前記ケーブル支持部材は、
上面と、
前記上面に形成され、前記第１方向に沿って伸びる溝とを有し、
前記ケーブルは、前記溝内に配置される
ケーブル被覆材の除去装置。
【請求項３】
請求項２に記載されたケーブル被覆材の除去装置であって、
前記ケーブル支持部材は、前記第１方向とは反対方向側の端部に、後端面を有し、
前記固定部材は、前記固定部材が前記第１方向側へ移動することを防止する、ストッパ部材を備えており、
前記ストッパ部材は、前記上面と前記後端面とによって形成される角部に対応する形状を有している
ケーブル被覆材の除去装置。
【請求項４】
請求項３に記載されたケーブル被覆材の除去装置であって、
前記固定部材は、前記溝を被覆する被覆部を備え、
前記被覆部には、前記溝を露出させる、確認用開口が設けられている
ケーブル被覆材の除去装置。
【請求項５】
請求項１乃至４の何れかに記載されたケーブル被覆材の除去装置であって、
前記カッター保持部材は、連結点で前記弾性部材と連結され、
前記連結点と前記第１軸との間の距離は、前記弾性部材が前記カッター保持部材に与える力よりも大きな力が前記刃先に加わるように、前記刃先と前記第１軸との間の距離よりも大きく設定されている
ケーブル被覆材の除去装置。
【請求項６】
請求項１乃至５の何れかに記載されたケーブル被覆材の除去装置であって、
前記カッター保持部材は、前記カッターを挟むようにして保持し、
前記カッター保持部材は、前記カッターの刃先とは反対側の端部に当接する、当接部を有し、
前記当接部は、前記カッターの刃先が所定量だけ前記カッター保持部材から突き出るような位置に、設けられている
ケーブル被覆材の除去装置。
【請求項７】
請求項１乃至６の何れかに記載されたケーブル被覆材の除去装置を準備する工程と、
前記ケーブル支持部材により、前記ケーブルを支持する工程と、
前記カッターが前記外部被覆材と当接するように、前記カッター支持機構を取り付ける工程と、
前記取り付ける工程の後に、前記ケーブルを前記第１方向にスライドさせ、前記外部被覆材を切断する工程と、
を具備する
ケーブル被覆材の除去方法。
【発明の詳細な説明】
【技術分野】
【０００１】
本発明は、ケーブル被覆材の除去装置、及びケーブル被覆材の除去方法に関する。
【背景技術】
【０００２】
ケーブルは、導体である芯線と、芯線を被覆する外部被覆材とを有している。ケーブルを電子部品等に接続する場合、外部被覆材を除去し、芯線を露出させる必要がある。芯線を露出させる方法として、カッターを用いて人手により外部被覆材を切断する方法が考えられる。しかしながら、人手によって外部被覆材を切断する場合、カッターに対して一様な力を加えることが難しい。そのため、外部被覆材だけではなく芯線までもが傷つけられてしまうことがある。
【０００３】
外部被覆材を除去するための技術が、特許文献１（特開平１０−１４０４５号公報）、特許文献２（特開２００２−２３８１２４号公報）、及び特許文献３（特開平７−１５８２６号公報）に記載されている。
【０００４】
特許文献１には、被覆体にケーブルの円周方向にスリットを刻むと共に、抜き方向にもスリットを刻んで、被覆体をストリップすることが記載されている。特許文献１には、これにより、ケーブル内の芯線に傷をつけることなく被覆体をストリップできると記載されている。
【０００５】
特許文献２には、第１アームと第２アームとの各アームの自由端にケーブルの長さ方向と直角で対向させてケーブルを挟むように構成したローラと、第１アームに備えたローラに近接して絶縁シースに切れ目を形成できる刃物と、第２アームに備えたローラに近接してケーブルを貫通できる孔とを備え、ケーブルの長さ方向に任意に移動し、絶縁シースを長さ方向に縦裂きできる切れ目を形成し、内部線芯を取り出せるようにする点が記載されている。
【０００６】
特許文献３には、左右一対の杆体を、中央をピンで枢着したＸリンクで結合し、間に圧縮ばねをもうけ、杆体の間が開くように付勢する点、ねじ軸の先端を片方の杆体に回転自在に支持し、他方の杆体には、このねじ軸と螺合することのできる割りナットを設ける点、杆体に、ケーブルを挟む２組のローラを回転自在に立設する点、各組のローラとローラの間において各杆体に回転自在に、かつ突出量を調整できるように左右一対の円形刃を設ける点、及びこの円形刃でケーブルの外被を両側から切り裂く点が記載されている。
【先行技術文献】
【特許文献】
【０００７】
【特許文献１】特開平１０−１４０４５号公報
【特許文献２】特開２００２−２３８１２４号公報
【特許文献３】特開平７−１５８２６号公報
【発明の概要】
【発明が解決しようとする課題】
【０００８】
ところで、ケーブルの中には、外部被覆材の表面に凹凸が形成されるものもある。例えば、ケーブルとして、螺旋状になるように巻かれた２本の芯線を用いた、ツイストペアケーブルが知られている。ツイストペアケーブルでは、螺旋状である２本の芯線に対応して、外部被覆材の表面に凹凸が形成される。このようなケーブルに対しては、カッターを一定量だけ外部被覆材に当てることが難しく、容易に外部被覆材を除去することができない。
【０００９】
尚、特許文献１乃至３のいずれにおいても、外部被覆材の表面に凹凸が形成されるケーブルについて、外部被覆材を容易に除去する点については、記載されていない。
【００１０】
そこで、本発明の目的は、外部被覆材の表面に凹凸が形成される場合であっても、外部被覆材を容易に除去することができる、ケーブル被覆材の除去装置、及びケーブル被覆材の除去方法を提供することにある。
【課題を解決するための手段】
【００１１】
以下に、（発明を実施するための形態）で使用される番号を用いて、課題を解決するための手段を説明する。これらの番号は、（特許請求の範囲）の記載と（発明を実施するための形態）との対応関係を明らかにするために付加されたものである。ただし、それらの番号を、（特許請求の範囲）に記載されている発明の技術的範囲の解釈に用いてはならない。
【００１２】
本発明に係るケーブル被覆材の除去装置（１）は、芯線と芯線を被覆する外部被覆材とを備えるケーブル（１６）を、第１方向に沿ってスライド可能となるように支持する、ケーブル支持部材（２）と、外部被覆材を切断するためのカッター（１４）を支持する、カッター支持機構（３）とを具備する。カッター支持機構（３）は、カッター（１４）を固定して保持する、カッター保持部材（４）と、カッター（１４）が第１方向を含む平面に垂直な第１軸（１３）の周りに回転可能になり、カッター（１４）の刃先（２７）が第１方向の反対方向を向くように、カッター保持部材（４）を支持する、固定部材（５）と、一端で固定部材（５）に連結され、他端でカッター保持部材（４）に連結される、弾性部材（１２）とを備える。弾性部材（１２）は、カッターの刃先（２７）に、第１軸（１３）周りの回転力が第１方向の反対側に向かって働くように、カッター保持部材（４）を付勢する。
【００１３】
ケーブル支持部材（２）は、上面と、上面に形成され、第１方向に沿って伸びる溝（１５）とを有し、ケーブル（１６）は、溝（１５）内に配置されることが好ましい。
【００１４】
ケーブル支持部材（２）は、第１方向とは反対方向の端部に、後端面を有し、固定部材（５）は、固定部材（５）が第１方向側へ移動することを防止する、ストッパ部材（７）を備えており、ストッパ部材（７）は、上面と後端面とによって形成される角部に対応する形状を有していることが好ましい。
【００１５】
ストッパ部材（７）は、溝（１５）の一部を被覆する被覆面を有しており、被覆面には、溝（１５）を露出させる、確認用開口（１８）が設けられていることが好ましい。
【００１６】
カッター保持部材（４）は、連結点で弾性部材（１２）と連結され、連結点と第１軸（１３）との間の距離は、弾性部材（１２）がカッター保持部材に与える力よりも大きな力が刃先（２７）に加わるように、刃先（２７）と第１軸（１３）との間の距離よりも大きく設定されていることが好ましい。
【００１７】
カッター保持部材（４）は、カッター（１４）を挟むようにして保持し、カッター保持部材（４）は、カッターの刃先とは反対側の端部に当接する、当接部（２１）を有し、当接部（２１）は、カッターの刃先（２７）が所定量だけカッター保持部材（４）から突き出るような位置に、設けられていることが好ましい。
【００１８】
本発明に係るケーブル被覆材の除去方法は、上述のケーブル被覆材の除去装置を準備する工程と、ケーブル支持部材（２）により、ケーブル（１６）を支持する工程と、カッター（１４）が外部被覆材と当接するように、カッター支持機構（３）を取り付ける工程と、取り付ける工程の後に、ケーブル（１６）を第１方向にスライドさせ、外部被覆材を切断する工程とを具備する。
【発明の効果】
【００１９】
本発明によれば、外部被覆材の表面に凹凸が形成される場合であっても、外部被覆材を容易に除去することができる、ケーブル被覆材の除去装置、及びケーブル被覆材の除去方法が提供される。
【図面の簡単な説明】
【００２０】
【図１】ケーブル被覆材の除去装置を概略的に示す側面図である。
【図２】カッターとケーブルとの位置関係を示す図である。
【図３】ケーブル支持部材を示す概略図である。
【図４】固定部材を示す上面図である。
【図５】図４のＡＡ’に沿う断面図である。
【図６】カッター保持部材を示す側面図である。
【図７】カッター保持部材を示す分解図である。
【発明を実施するための形態】
【００２１】
以下に、図面を参照しつつ、本発明の実施形態について詳細に説明する。図１は、本実施形態に係るケーブル被覆材の除去装置１を概略的に示す側面図である。
【００２２】
除去装置１は、ケーブル支持部材２、及びカッター支持機構３を有している。
【００２３】
ケーブル支持部材２は、処理対象物であるケーブル１６を支持するために設けられている。ここで、ケーブル１６は、ツイストペアケーブルであり、外部被覆材に凹凸が形成されているものとする。ケーブル支持部材２は、上面を有しており、その上面には第１方向に沿って伸びる溝１５が形成されている。ケーブル１６は、第１方向に向かってスライド可能になるように、溝１５内に配置されている。
【００２４】
カッター支持機構３は、ケーブル１６の外部被覆材を切断するためのカッター１４を支持するために設けられている。カッター支持機構３は、カッター保持部材４、及び固定部材５を有している。
【００２５】
カッター保持部材４は、カッター１４を固定して保持している。
【００２６】
固定部材５は、カッター保持部材４を回転可能に支持する部材である。固定部材５は、ケーブル支持部材２に着脱自在に取り付けられる。固定部材５とカッター保持部材４とは、回転軸部材１３（第１軸）を介して連結されている。すなわち、固定部材５は、回転軸部材１３を介して、固定部材５を回転可能に支持している。カッター保持部材４は、回転軸部材１３周りに、回転可能である。ここで、回転軸部材１３は、その軸方向が第１方向を含む平面に対して直交する方向になるように、設けられている。また、カッター保持部材４は、カッター１４の刃先２７が第１方向とは反対方向を向き、且つ、刃先２７が溝６に配置されたケーブル１６に当接するように、支持されている。
【００２７】
図２は、カッター１４とケーブル１６との位置関係を示す図である。図２に示されるように、カッター１４は、回転軸部材１３を中心とする回転軌道に沿って、回転可能である。ここで、カッター保持部材４は、回転軌道と第１方向とが同一平面内に位置し、回転軌道がケーブル１６と接するように、固定部材５によって支持されている。
【００２８】
再び図１を参照し、弾性部材１２について説明する。弾性部材１２は、一端で固定部材５に連結され、他端でカッター保持部材４に連結されている。弾性部材１２は、固定部材５とカッター保持部材４との間に圧縮されて配置されている。弾性部材１２は、カッター保持部材４を、回転軸部材１３周りの方向に、弾性的に押している。そのため、図２に示されるように、カッター１４の刃先２７には、回転軌道に沿って第１方向とは反対側を向く力が、弾性的に働いている。すなわち、刃先２７は、回転軌道に沿って、第１方向の反対方向に、付勢されている。
【００２９】
上述の除去装置１において、ケーブル１６を第１方向に沿ってスライドさせると、カッター１４により、ケーブル１６の外部被覆材が切断される。ここで、カッター１４の刃先２７は、回転軌道に沿って回転可能である。そのため、カッター１４の刃先２７がケーブル１６の凸部に当った場合には、刃先２７が回転軌道に沿って第１方向側へ移動する。その結果、刃先２７がケーブル１６に深く入り込むことがなく、ケーブル１６内の芯線が損傷してしまうことが防止される。また、カッター１４は、回転軌道に沿って第１方向とは反対側に付勢されている。そのため、刃先２７は、ケーブル１６の凹部に対して追従することができる。従って、ケーブル１６に凹凸が存在する場合であっても、常に刃先２７を一定量だけケーブル１６に入り込ませることができ、容易に外部被覆材を除去することが可能である。
【００３０】
次いで、各部材について、詳細に説明する。
【００３１】
まず、ケーブル支持部材２について説明する。図３は、ケーブル支持部材２を示す概略図である。図３に示されるように、ケーブル支持部材２は、外部材２５及び内部材２６を備えている。
【００３２】
内部材２６は、概ね直方体状である。内部材２６の上面には、第１方向に沿う溝１５が形成されている。また、内部材２６の上面には、位置合わせ線１７が描かれている。この位置合わせ線１７は、カッターの刃先２７が当接する位置に対応して描かれている。作業者は、位置合わせ線１７を確認することにより、ケーブル１６のどの部分に刃先２７が当たっているかを確認することができる。
【００３３】
外部材２５は、内部材２６を支持するために設けられている。外部材２５は、内部材２６を載せる底面と、底面の端部から立ち上がる側面を有している。
【００３４】
上述の内部材２６において、溝１５の幅及び深さは、ケーブル１６の太さに応じて設定されている。処理対象となるケーブル１６の種類が複数存在する場合、内部材２６は、各種類のケーブル１６の太さに対応して、複数用意される。外部材２５に載せられる内部材２６を交換することにより、処理可能なケーブル１６の太さを用意に変更することができる。
【００３５】
続いて、固定部材５について説明する。固定部材５は、カッター保持機構４を支持するために設けられている。図１に示されるように、固定部材５は、ベース部材６、ストッパ部材７、側部保持部材８、抑え部材９、スプリング固定部材１０、及びカバー部材１１を備えている。
【００３６】
ベース部材６は、平板状であり、ケーブル支持部材２の上面に載せられる。ストッパ部材７、側部保持部材８、抑え部材９、及びスプリング固定部材１０は、図示しないボルトなどにより、このベース部材６に固定されている。
【００３７】
ストッパ部材７は、ベース部材６の上面の後端部（第１方向の反対方向における端部）に取り付けられている。ストッパ部材７の後端部は、ケーブル支持部材２の後端面と当接するように折り曲げられている。このストッパ部材７により、ベース部材６が第１方向にずれることが防止されている。
【００３８】
図４は、固定部材５を示す上面図である。図４においては、説明を簡単にするため、カッター保持部材４の図示は省略されている。この図４に示されるように、ストッパ部材７及びベース部材６は、溝１５の後端部を被覆している。そして、ストッパ部材７及びベース部材６には、溝１５の一部を露出させる確認用開口１８が設けられている。作業者は、この確認用開口１８から溝１５の状態を確認することで、ケーブル１６が溝１５に適切に配置されているか否かを確認することができる。
【００３９】
側部保持部材８は、ベース部材６の両側部に設けられている。図５は、図４のＡＡ’に沿う断面図である。図５に示されるように、側部保持部材８の一部は、ベース部材６の上面に載せられている。側部保持部材８は、ケーブル支持部材２の側面と当接するように、折り曲げられている。この側部保持部材８により、ベース部材６の位置がずれることが防止されている。
【００４０】
抑え部材９も、側部保持部材８と同様に、ベース部材６の両側部に設けられている。図５に示されるように、抑え部材９は、張り出し部２８及び立ち上がり部２９を有している。張り出し部２８は、側部保持部材８の上面に載せられている。張り出し部２８は、側部保持部材８が配置された部分から更に側方に向かって伸びている。立ち上がり部２９は、張り出し部２８から上方に向かって立ち上がるように伸びている。張り出し部２８は、カッター保持部材４と連結される部分である。図５には示されていないが、カッター保持部材４は、両側に設けられた立ち上がり部２９の間に配置される。
【００４１】
再び図１を参照する。図１に示されるように、抑え部材９の立ち上がり部２９には、回転軸部材１３が取り付けられている。また、立ち上がり部２９には、ストッパ用開口３０が設けられている。一方、カッター保持部材４には、側方に向かって突き出す突起物３１（例えばボルト）が設けられており、この突起物３１がストッパ用開口３０内に配置されている。ストッパ用開口３０は、カッター保持部材４の回転可能な範囲を制限するために設けられており、回転軸部材１３周りの周方向に沿って伸びている。ストッパ用開口３０内に突起物３１が配置されていることにより、弾性部材１２が完全に伸びることが防止され、カッター１４の刃先２７には常に回転力が加えられることになる。
【００４２】
図４及び図５を参照して、スプリング固定部材１０について説明する。スプリング固定部材１０は、弾性部材１２を支持するために設けられている。図４及び図５に示されるように、スプリング固定部材１０は、両側に設けられた立ち上がり部２９の間において、ベース部材６上に配置されている。弾性部材１２の一端は、このスプリング固定部材１０に連結されている。弾性部材１２は、スプリング固定部材１０から上方に向かって伸びている。
【００４３】
図４及び図５に示されるように、カバー部材１１は、両側部に設けられた立ち上がり部２９に固定されている。カバー部材１１は、両側に設けられた立ち上がり部２９の間を、立ち上がり部２９の後端部においてカバーするように取り付けられている。
【００４４】
上述の固定部材５は、ケーブル支持部材２に対して着脱自在に取り付けられる。固定部材５を取り付ける際には、作業者は、親指と人差し指とにより、抑え部材９を挟持する。この際、抑え部材９は、立ち上がり部２９及び張り出し部２８を有しているので、立ち上がり部２９の付け根部分に指を当てることにより、安定して固定部材５を持つことができる。そして、ベース部材６を、ケーブル支持部材２の上面に載せる。この際、ストッパ部材７をケーブル支持部材２の後端面に当接させる。また、側部保持部材８をケーブル支持部材２の両側面に当接させる。これにより、固定部材５を簡単に位置決めでき、固定部材５をケーブル支持部材２に対して固定させることが可能である。
【００４５】
続いて、カッター保持部材４について説明する。
【００４６】
図６は、カッター保持部材４を示す側面図である。カッター保持部材４は、挟持部３２、折り曲げ部２３、及びスプリング連結部２４を備えている。挟持部３２は、カッター１４を挟持する部分であり、回転軸部材１３に回転可能に連結される。挟持部３２の後端部は、折り曲げられており、折り曲げ部２３を形成している。スプリング連結部２４は、折り曲げ部２３から下方に向かって伸びている。スプリング連結部２４には、弾性部材１２の他端が連結されている。スプリング連結部２４は、弾性部材１２によって押されている。
【００４７】
ここで、スプリング連結部２４と弾性部材１２との連結部分が、連結点と記載される。このとき、回転軸部材１３と連結点との間の距離aは、回転軸部材１３とカッター１４の刃先２７との間の距離２７よりも、長く設定されている。このような構成を採用すれば、てこの原理により、刃先２７に対し、弾性部材１２がスプリング連結部２４を押す力よりも大きな力が加えられる。従って、弾性部材１２がスプリング連結部２４に加える力を少なくすることができる。カッター支持機構３を組み立てる際に、弾性部材１２を強い力で圧縮する必要がなく、容易に組立を行うことが可能である。
【００４８】
次いで、カッター保持部材４について更に詳細に説明する。
【００４９】
図７は、カッター保持部材４を示す分解図である。図７に示されるように、カッター保持部材４は、第１部材１９及び第２部材２０によって組み立てられている。カッター１４は、第１部材１９と第２部材２０とによって、挟持されている。
【００５０】
第１部材１９の表面には、カッター１４に対応する形状の凹部３３が形成されている。この凹部３３を形成する壁面の一部は、カッター１４における刃先２７とは反対側の端部と当接する、当接部２１を形成している。この当接部２１は、刃先２７が所定の長さだけ第１部材１９から突き出すような位置に、設けられている。
【００５１】
また、凹部３３に配置されたカッター１４は、固定部材２２によって抑えられる。固定部材２２は、カッター１４の両側で折りまげられており、カッター１４の位置が幅方向でずれることを防止している。この固定部材２２は、第１部材１９とは独立しており、簡単にカッター１４上から取り外すことが可能である。
【００５２】
第２部材２０は、カバー部３４、既述の折り曲げ部２３、及び既述のスプリング連結部２４を備えている。カバー部３４は、第１部材１９の表面に対応する形状であり、第１部材１９の表面を被覆するように配置される。カバー部３４の一端は折り曲げられており、折り曲げ部２３を形成している。カバー部３４と第１部材１９とは、例えばボルト及びナットなどの締結部材により、締結される。
【００５３】
カッター保持部材４として上述のような構成を採用することにより、容易にカッター１４を交換することが可能である。すなわち、カッター１４を交換する場合には、第１部材１９から第２部材２０を取り外す。そして、固定部材２２を取り外し、カッター１４を交換する。新しいカッター１４を取り付ける際には、カッター１４の一端を当接部２１に当てることにより、刃先２７の突出し量を正確にコントロールすることができる。カッター１４を凹部３３に配置した後、固定部材２２をカッター１４上に載せる。その後、第２部材２０を第１部材１９に取り付け、第１部材１９と第２部材２０とを締結する。これにより、カッター１４を挟持するカッター保持部材４が組み立てられる。このように、当接部２１が形成されているため、刃先２７の突き出し量を正確にコントロールでき、且つ、簡単にカッター１４を交換することが可能である。
【００５４】
続いて、本実施形態に係る除去装置１の使用方法（ケーブル被覆材の除去方法）について説明する。
【００５５】
まず、内部材２６として、処理対象となるケーブル１６の太さに対応する溝１５を有するものを選択し、外部材２５に取り付ける（図３参照）。
【００５６】
次いで、ケーブル１６を溝１５に配置する。
【００５７】
次いで、カッター支持機構３を、ケーブル支持部材２の上面にセットする。この際、ストッパ部材７がケーブル支持部材２の後端面に当接させる（図１参照）。また、側部保持部材８をケーブル支持部材２の両側面に当接させる（図５参照）。これにより、ケーブル支持部材２の位置を簡単に固定することができる。
【００５８】
そして、位置合わせ線１７（図４参照）を確認することにより、カッター１４の刃先２７がケーブル１６における所望する位置に当接していることを確認する。更に、確認用開口１８（図４参照）を確認し、溝１５にケーブル１６が適切に配置されていることを確認する。
【００５９】
その後、ケーブル１６を第１方向にスライドさせる。これにより、ケーブル１６の外部被覆材がカッター１４によって切断される。この際、カッター１４の刃先２７が回転可能であり、且つ、刃先２７が回転方向に沿って付勢されているため、ケーブル１６に凹凸が形成されていても、一定の深さで外部被覆材に切り込みを加えることが可能である。
【００６０】
その後、ケーブル支持部材３を取り外し、ケーブル１６を溝１５から取り外す。そして、切り込みが入れられた外部被覆材を除去する。
【００６１】
以上説明した方法により、表面に凹凸が形成されたケーブル１６の外部被覆材を、簡単に、且つ、適切に除去することが可能である。
【符号の説明】
【００６２】
１  外部被覆材除去装置
２  ケーブル支持部材
３  カッター支持機構
４  カッター保持部材
５  固定部材
６  ベース部材
７  ストッパ部材
８  側部保持部材
９  抑え部材
１０  スプリング固定部材
１１  カバー部材
１２  スプリング（弾性部材）
１３  回転軸部材（第１軸）
１４  カッター
１５  溝
１６  ケーブル
１７  位置合わせ線
１８  確認用開口
１９  第１部材
２０  第２部材
２１  当接部
２２  固定部材
２３  折り曲げ部
２４  スプリング連結部
２５  外部材
２６  内部材
２７  刃先
２８  張り出し部
２９  立ち上がり部
３０  ストッパ用開口
３１  突起物
３２  挟持部
３３  凹部
３４  カバー部
【図１】
2011120336.tif 000003
【図２】
2011120336.tif 000004
【図３】
2011120336.tif 000005
【図４】
2011120336.tif 000006
【図５】
2011120336.tif 000007
【図６】
2011120336.tif 000008
【図７】
2011120336.tif 000009